(57)【要約】      （修正有）【課題】体温並びに体重、体脂肪及びこれら組み合わせのうちの１つを少なくとも含むユーザーに特異的な管理情報を保存又は表示し得る測定装置を提供する。【解決手段】筐体１１０とこの筐体の表面上に取り付けられたディスプレイユニット２５０とを有する。筐体には、重量測定ユニット４０と体脂肪測定ユニット１０とが配置され、それぞれ、荷重信号と生体インピーダンス信号とを測定する。さらに、筐体には、温度測定ユニット２０が配置され、温度信号を測定する。制御ユニット２４０は、体重値、体脂肪値及び体温値を含むユーザーに特異的な管理情報をディスプレイユニットに送信させる。【選択図】図３
0003109753.tif 000002
【実用新案登録請求の範囲】
【請求項１】
筐体；
荷重信号を測定する、前記筐体に配置された重量測定ユニット；
体温信号を測定する、前記筐体に配置された温度測定ユニット；
前記筐体上に取り付けられたディスプレイユニット；及び
前記筐体に配置され、前記温度測定ユニットと前記重量測定ユニットと前記ディスプレイユニットとに結合された、制御ユニット；
を備える測定装置であって、
前記制御ユニットは、前記重量測定ユニットから受信した前記荷重信号と前記温度測定ユニットから受信した体温信号とから、体重値と体温値とを算出し；
前記制御ユニットは、前記体重値及び前記体温値を含むユーザーに特異的な管理情報を前記ディスプレイユニットに送信させる；
ことを特徴とする測定装置。
【請求項２】
前記温度測定ユニットは、電子体温計又は赤外線放射体温計であることを特徴とする請求項１に記載の測定装置。
【請求項３】
前記温度測定ユニットは：
前記筐体の上面上に配置された熱接触表面；
前記体温値信号を検知する、前記熱接触表面内に配置された熱センサー；及び
前記体温値信号を前記制御ユニットに通す、前記熱センサーに接続されたワイヤーのセット；
を備えることを特徴とする請求項１に記載の測定装置。
【請求項４】
前記制御ユニットは、前記のユーザーに特異的な管理情報を保存する、メモリユニットを備えることを特徴とする請求項１に記載の測定装置。
【請求項５】
筐体；
生体インピーダンス信号を測定する、前記筐体に配置された体脂肪測定ユニット；
体温信号を測定する、前記筐体に配置された温度測定ユニット；
前記筐体上に取り付けられたディスプレイユニット；及び
前記筐体に配置され、前記体脂肪測定ユニットと前記温度測定ユニットと前記ディスプレイユニットとに結合された、制御ユニット；
を備える測定装置であって、
前記制御ユニットは、前記体脂肪測定ユニットから受信した前記生体インピーダンス信号と前記温度測定ユニットから受信した体温信号とから、体脂肪値と体温値とを算出し；
前記制御ユニットは、前記体脂肪値及び前記体温値を含むユーザーに特異的な管理情報を前記ディスプレイユニットに送信させる；
ことを特徴とする測定装置。
【請求項６】
前記温度測定ユニットは：
前記筐体の上面上に配置された、収集窓を有する熱接触表面；
前記収集窓からの熱放射を受ける、前記熱接触表面内に配置された赤外線センサーであって、前記熱放射は、前記体温信号に変換される、赤外線センサー；及び
前記体温値信号を前記制御ユニットに通す、前記赤外線センサーに接続されたワイヤーのセット；
を備えることを特徴とする請求項５に記載の測定装置。
【請求項７】
生理的データを前記制御ユニットに入力する、前記筐体の表面上に配置された入力ユニットをさらに備え、
前記制御ユニットは、前記体脂肪測定ユニットから受信した前記生体インピーダンス信号と前記生理的データとから、体脂肪値を算出することを特徴とする請求項５に記載の測定装置。
【請求項８】
前記筐体の上面上に配置された計量プラットフォーム；及び
荷重信号を検知する、前記計量プラットフォームの下部に配置された重量センサー；
を有する重量測定ユニットをさらに備え、
前記制御ユニットは、前記荷重信号と前記生体インピーダンスとから、体脂肪値を算出することを特徴とする請求項５に記載の測定装置。
【考案の詳細な説明】
【技術分野】
【０００１】
本考案は、測定装置に関する。特に、本考案は、体重及び体脂肪測定装置に関する。
【背景技術】
【０００２】
体重又は体脂肪の制御は、現代の関心事となっている。体脂肪計を有する計量機は、多くの人々が体重及び体脂肪の制御又は管理プログラムに使用する重要なツールである。
【０００３】
さらに、先行技術において、ユーザーに関する複数の情報を提供するため種々の尺度に関する試みがなされているが、ユーザーに特異的な健康上の複数の管理情報をユーザーに提供する尺度に関する要求が存在する。
【考案の開示】
【考案が解決しようとする課題】
【０００４】
本考案の典型実施例は、体温並びに体重、体脂肪及びこれら組み合わせのうちの１つを少なくとも含むユーザーに特異的な管理情報を保存又は表示し得る測定装置を提供することにより、上述の問題を解決することを目的とする。
【課題を解決するための手段】
【０００５】
本考案の典型実施例は、筐体とこの筐体の表面上に取り付けられたディスプレイユニットとを有する測定装置を提供する。この筐体に体重測定ユニットを配置し、荷重信号を測定する。また、筐体に温度測定ユニットを配置し、温度信号を測定する。制御ユニットは、体重測定ユニットから受信した荷重信号と温度測定ユニットから受信した温度信号とから、体重値と体温とを算出し、体重値及び温度値を含むユーザーに特異的な管理情報をディスプレイユニットへと送信させる。
【０００６】
本考案の他の典型実施例は、筐体とこの筐体の表面上に取り付けられたディスプレイユニットとを有する測定装置を提供する。筐体には、体脂肪測定ユニットが配置され、生体インピーダンス信号を測定する。また、この筐体には、温度測定ユニットが配置され、温度信号を測定する。制御ユニットは、体脂肪測定ユニットから受信した生体インピーダンス信号と、温度測定ユニットから受信した温度信号とから、体脂肪値と体温値とを算出し、体脂肪値及び温度値を含むユーザーに特異的な管理情報をディスプレイユニットに送信させる。
【考案の効果】
【０００７】
本考案による測定装置は足の温度値や体重、体脂肪値などのユーザーに特異的な制御情報を提供し得るので、糖尿病の合併症を軽減させる補助をする新規のホームテストを必然的に提供する。本考案による測定装置は、潰瘍、骨折、切断を含む合併症を軽減するのに、足の表皮温度をモニターする。
【０００８】
本考案による測定装置は、日常的に足の自己診断を行う一部として炎症や組織障害に関する早期の警告サインを発するので、患者に目的情報を提供するのに使用可能である。家庭用温度モニタリングは、上述の高いリスクを有する合併症を有する患者にとって、総合的に潰瘍や切断を回避するプログラムに対して有用な補助となり得る。
【考案を実施するための最良の形態】
【０００９】
図１は、本考案の典型実施例による、デジタルスケール（ｄｉｇｉｔａｌ  ｓｃａｌｅ）などの測定装置１００の上面と筐体１１０上に取り付けられた種々の部材とを示す。筐体１１０の上面には、プラットフォームが配置される。筐体１１０は、金属や、ガラス若しくは炭素充填ポリマーなどの強化プラスティックで製造されてもよい。このプラットフォームは、例えば、ディスプレイ領域１２０と検知領域１４０とを実質的に有する。ディスプレイユニット２５０は、ディスプレイ領域１２０上に取り付けられ、検知装置１４２、１４４及び３１０は、この検知領域１４０上又は下部に配置される。
【００１０】
筐体１１０内に適合した配置されるのは、荷重信号を測定する重量測定ユニット４０と、生体インピーダンス信号を測定する体脂肪測定ユニット１０と、体温信号を測定する温度測定ユニット２０とである。なお、これらのユニットはさらに図３に示す。
【００１１】
本考案の典型実施例において、重量測定ユニット４０は、プラットフォームと、計量プラットフォームの下部に配置され荷重信号を検知する重量センサ３１０とを有する。典型的に、重量センサ３１０は、重量測定に使用する標準的なロードセル型技術を含む荷重検知装置であってもよい。また、体重値Ｗは、例えば、中央演算ユニット（ＣＰＵ）などの制御ユニット２４０の重量算出部３３０により算出される。
【００１２】
本考案の典型実施例において、体脂肪測定ユニット１０は、プラットフォーム上に検出電極１４２を有し、生体インピーダンス信号を測定する。典型的に、制御ユニット２４０の体脂肪算出部２４２において、生体インピーダンス信号は、４つの終末電極処理により算出される。また、体脂肪値Ｆは、体重値Ｗと、性別や身長などの個人データとに基づいて、体脂肪算出部２４２で算出される。体脂肪値Ｆは、体脂肪率と、体脂肪重量と、肥満の程度とを有してもよい。
【００１３】
図１及び図２を参照すると、本考案の典型実施例において、体重値Ｗ及び性別や身長などの個人の生理的データは、入力ユニット３０又は制御ユニット２４０のメモリユニット２４６から取得してもよい。典型的には、入力ユニット３０は、キーパッド１３２及び入力／出力部材１３０を有してもよい。キーパッド１３２のそれぞれは、アナログ／デジタル（Ａ／Ｄ）変換器などの標準的な入力／出力部材１３０に電気結合される。入力／出力部材１３０は、例えば、制御ユニット２４０に直接又は共通データバスを介して結合される。従って、ユーザーは、適切な信号を入力／出力部材１３０に送信するキーパッド１３２を作動させて情報を入力する。入力／出力部材１３０は、これら信号をデジタルの生理的データに変換し、このデータは制御ユニット２４０に送信される。
【００１４】
図１乃至図４を参照すると、本考案の典型実施例において、温度測定ユニット２０は、熱接触表面１４４と、熱センサー２３０とワイヤー２３２のセットとを有する。熱接触表面１４４は、筐体１１０の上面上に配置されるが、検出電極上に配置されてもよい。熱センサー２３０は、熱接触表面１４４内に配置され、ユーザーの足の温度信号などの体温信号を検知する。ワイヤー２３２のセットは、熱センサー２３０に接続され、体温信号を制御ユニット２４０の体温算出部２４４へと通す。
【００１５】
典型的に、温度測定ユニット２０は、ユーザーの体部や足４００の温度を測定するため、電子体温計や赤外線放射体温計を有する。また、体温値Ｔは、例えば、制御ユニット２４０の体温算出部２４４で算出される。本考案の典型実施例において、熱接触表面１４４は、熱放射を透過する材料で収集窓を有してもよい。ユーザーの足などの領域がこの収集窓に直接接触することにより、そこから放射される熱放射が収集される。赤外線センサーは、熱放射を受け、制御ユニット２４０に送信される対応する温度信号に変換される。
【００１６】
従って、制御ユニット２４０は、体脂肪測定ユニット１０から受信した温度信号と、重量測定ユニット４０から受信した荷重信号と、体脂肪測定ユニット１０から受信した生体インピーダンス信号とから、体温値Ｔ、体重値Ｗ又は体脂肪値Ｆを算出し得る。
【００１７】
従って、制御ユニット２４０は、体重値Ｗ、体脂肪値Ｆ及び体温値Ｔを含むユーザーに特異的な管理情報をディスプレイユニット２５０に送信し、或いは、そのメモリユニット２４６に保存させる。
【００１８】
典型的に、制御ユニット２４０は、常套的なマイクロプロセッサ又はマイクロコントローラーを有してもよい。上記のユーザーに特異的な制御情報は、共通データバスを介して制御ユニット２４０に結合された、ディスプレイ領域１２０上に配置されたデジタルディスプレイ２５０に出力される。
【００１９】
上述に加えて、典型的に、入力された生理的データは、血圧や、血糖値又はその他のユーザーの身体の健康状態を示す情報をさらに有していてもよい。この生理的データは、メモリユニット２４６に記録されてもよいし、上記のユーザーに特定的な制御情報にまとめられてもよい。
【図面の簡単な説明】
【００２０】
【図１】本考案の典型実施例による測定装置の上面図を示す。
【図２】本考案の典型実施例による測定装置における部材を示すブロック図である。
【図３】本考案の典型実施例による測定装置における部材を示すブロック図である。
【図４】本考案の典型実施例による測定装置の斜視図を示す。
【符号の説明】
【００２１】
１０      体脂肪測定ユニット
２０      温度測定ユニット
３０      入力ユニット
４０      重量測定ユニット
１００    測定装置
１１０    筐体
１２０    ディスプレイ領域
１３０    入力／出力部材
１３２    キーパッド
１４０    検知領域
１４２    検知装置
１４４    熱接触表面
２３０    熱センサー
２３２    ワイヤー
２４０    制御ユニット
２４２    体脂肪算出部
２４４    体温算出部
２４６    メモリユニット
２５０    ディスプレイユニット
３１０    重量センサ
３３０    重量算出部
４００    足
Ｆ        体脂肪値
Ｔ        体温値
Ｗ        体重値
【図１】
0003109753.tif 000003
【図２】
0003109753.tif 000004
【図３】
0003109753.tif 000005
【図４】
0003109753.tif 000006